(57)【要約】【課題】プリフォームの酸素吸収性樹脂層の存否を検査きる多層プリフォームの検査方法およびその装置を提供すること。【解決手段】多層プリフォーム３０と対向して設けられるレーザー照射手段２と、このレーザー照射手段２から照射して透過する光量の変化から中間層の存否を検出する光量検出手段３とを備えたレーザー照射検出器４で構成する。レーザー照射手段２から照射したレーザービームの光量が白濁した中間層１４，１５によって変化することを利用して中間層１４，１５の存否を検出できるようにしている。【選択図】　　　図１
2004117028.tif 000002
【特許請求の範囲】
【請求項１】
酸素吸収性樹脂からなる中間層を有する多層プリフォームの当該中間層の存否を検査するに際し、前記多層プリフォームにレーザービームを照射して透過する光量の変化から中間層の存否を検出するようにしたことを特徴とする多層プリフォームの検査方法。
【請求項２】
前記光量の変化を、前記多層プリフォームを透過した後反射鏡から反射して再透過した反射光で検出するようにしたことを特徴とする請求項１記載の多層プリフォームの検査方法。
【請求項３】
酸素吸収性樹脂からなる中間層を有する多層プリフォームの当該中間層の存否を検査する装置であって、前記多層プリフォームと対向して設けられるレーザー照射手段と、このレーザー照射手段から照射して透過する光量の変化から中間層の存否を検出する光量検出手段とを備えることを特徴とする多層プリフォームの検査装置。
【請求項４】
前記レーザー照射手段と多層プリフォームを挾んで対向する反射鏡を設け、前記多層プリフォームを透過した後反射鏡から反射して再透過した反射光を検出可能に前記光量検出手段を設けたことを特徴とする請求項３記載の多層プリフォームの検査装置。
【請求項５】
前記検査装置を多層プリフォームの異物検出装置に付設し、この異物検出装置で搬送される前記多層プリフォームを検査対象としたことを特徴とする請求項３または４記載の多層プリフォームの検査装置。
【発明の詳細な説明】
【０００１】
【発明の属する技術分野】
この発明は、多層プリフォームの検査方法およびその装置に関し、多層プリフォームの中間層として射出成形される酸素吸収性樹脂の存否をブロー成形前に確認できるようにしたものである。
【０００２】
【従来の技術】
従来から各種飲料、食品、医薬品などの容器として広く使用されているプラスチック容器では、内容物によって容器内に残存する酸素や容器壁を透過する酸素によって変質したり、味や香りの低下が生じる場合がある。
【０００３】
このため、プラスチック容器の容器壁を多層構造とし、例えばポリエチレンテレフタレート（ＰＥＴ）などのポリエステル樹脂等の間にメタキシリレン基含有ポリアミドなどのガスバリア層を設けることで、容器内にガスが透過することを防止するようにしたものがある。
【０００４】
ところが、このガスバリア層を設けるだけでは、容器壁を透過して侵入する酸素などのガスを抑えることができるに過ぎず、容器内に残存する酸素を除去することができない。
【０００５】
そこで、容器内に残存する酸素を除去できる多層プラスチック容器として、容器壁に酸化性樹脂層を少なくとも１層設けることが提案されている。
【０００６】
例えば特許文献１に記載された多層プラスチック容器では、酸素捕捉性を有する層を、使用済みポリエチレンテレフタレート（ＰＣ−ＰＥＴ）、芳香族ポリアミドまたは脂肪族アミド、金属触媒で構成し、この酸素捕捉性を有する層をコア層として３層構造のプラスチック容器または５層構造のプラスチック容器としており、コア層によって内容物からの酸素を捕捉し、外部の酸素が内容物に到達することを防止するようになっている。
【０００７】
このような酸素捕捉性を有するプラスチック容器を成形するためには、まず、多層構造のプリフォームを射出成形する必要があり、成形された有底管状のプリフォームを、例えば２軸延伸ブロー成形することでプラスチック容器が成形される。
【０００８】
【特許文献１】
特表平１１−５１４３８５号公報
【０００９】
【発明が解決しようとする課題】
ところが、プリフォームの段階で酸素捕捉性を有する層が完全に成形されていないと、例えば２軸延伸ブロー成形しても製品となるプラスチック容器を成形することが出来ず、一旦プラスチック容器に成形すると、延伸ブロー成形による薄肉化によって他の層と同じように透明となり、簡単に酸素捕捉性を有する層を検出することができないという問題がある。
【００１０】
この発明は、上記従来技術の有する課題に鑑みてなされたもので、プリフォームの段階で酸素吸収性樹脂層の存否を検査することができる多層プリフォームの検査方法およびその装置を提供しようとするものである。
【００１１】
【課題を解決するための手段】
上記課題を解決するため多層プリフォームの酸素吸収性樹脂層の検出について検討を重ねた結果、多層プリフォームでは、酸素吸収性樹脂層が白濁していることからこれを利用することで存否を検出できることを見出だし、この発明を完成したもので、その具体的な構成は以下の通りである。
【００１２】
すなわち、この発明の請求項１記載の多層プリフォームの検査方法は、酸素吸収性樹脂からなる中間層を有する多層プリフォームの当該中間層の存否を検査するに際し、前記多層プリフォームにレーザービームを照射して透過する光量の変化から中間層の存否を検出するようにしたことを特徴とするものである。
【００１３】
この多層プリフォームの検査方法によれば、多層プリフォームにレーザービームを照射して透過する光量の変化から中間層の存否を検出するようにしており、中間層に照射したレーザービームの光量が白濁した中間層によって変化することから存否を検出することができるようになる。
【００１４】
また、この発明の請求項２記載の多層プリフォームの検査方法は、前記請求項１記載の構成に加え、前記光量の変化を、前記多層プリフォームを透過した後反射鏡から反射して再透過した反射光で検出するようにしたことを特徴とするものである。
【００１５】
この多層プリフォームの検査方法によれば、多層プリフォームを透過した後反射鏡から反射して再透過した反射光で光量の変化を検出するようにしており、多層プリフォームを２回透過させることで光量の変化を大きくし、一層確実に検出できるようにしている。
【００１６】
さらに、この発明の請求項３記載の多層プリフォームの検査装置は、酸素吸収性樹脂からなる中間層を有する多層プリフォームの当該中間層の存否を検査する装置であって、前記多層プリフォームと対向して設けられるレーザー照射手段と、このレーザー照射手段から照射して透過する光量の変化から中間層の存否を検出する光量検出手段とを備えることを特徴とするものである。
【００１７】
この多層プリフォームの検査装置によれば、多層プリフォームと対向して設けられるレーザー照射手段と、このレーザー照射手段から照射して透過する光量の変化から中間層の存否を検出する光量検出手段とを備えており、レーザー照射手段から照射したレーザービームの光量が白濁した中間層によって変化することを光量検出手段で検出して中間層の存否を検出できるようにしている。
【００１８】
また、この発明の請求項４記載の多層プリフォームの検査装置は、請求項３記載の構成に加え、前記レーザー照射手段と多層プリフォームを挾んで対向する反射鏡を設け、前記多層プリフォームを透過した後反射鏡から反射して再透過した反射光を検出可能に前記光量検出手段を設けたことを特徴とするものである。
【００１９】
この多層プリフォームの検査装置によれば、レーザー照射手段と多層プリフォームを挾んで対向する反射鏡を設け、前記多層プリフォームを透過した後反射鏡から反射して再透過した反射光を検出可能に前記光量検出手段を設けるようにしており、反射鏡で反射させて多層プリフォームを２回レーザービームを透過させることで光量の変化を大きくし、一層確実に検出できるようにしている。
【００２０】
さらに、この発明の請求項５記載の多層プリフォームの検査装置は、請求項３または４記載の構成に加え、前記検査装置を多層プリフォームの異物検出装置に付設し、この異物検出装置で搬送される前記多層プリフォームを検査対象としたことを特徴とするものである。
【００２１】
この多層プリフォームの検査装置によれば、検査装置を多層プリフォームの異物検出装置に付設し、この異物検出装置で搬送される前記多層プリフォームを検査対象とするようにしており、これまでの多層プリフォームの検査ラインを変更することなく簡単に設置でき、しかも異物検出しながら確実に中間層を検出できるようになる。
【００２２】
【発明の実施の形態】
以下、この発明の一実施の形態について図面に基づき詳細に説明する。
図１および図２はこの発明の多層プリフォームの検査方法およびその装置の一実施の形態にかかり、図１は検査原理を示す概略構成図、図２は異物検出装置とともに示す概略斜視図である。
【００２３】
まず、検査対象となる多層プリフォームおよびこの多層プリフォームによって成形される多層プラスチック容器について、図３及び図４により説明する。
【００２４】
この多層プラスチック容器１０は、例えば図４に示すように、内層１１、中央層１２および外層１３の３層のプラスチック層とこれら３層のプラスチック層１１，１２，１３の間に設けられた２つの中間層１４，１５との５層構造とされ、例えば３つのプラスチック層１１，１２，１３がいずれも熱可塑性ポリエステル樹脂層とされ、２つの中間層１４，１５がいずれも酸素吸収性樹脂層された２種５層のプラスチック容器となっている。
【００２５】
そして、この多層プラスチック容器１０は、結晶化した口部２１およびネックリング２１ａ、５層構造の肩部２２、胴部２３および底部２４を有して構成されており、熱可塑性ポリエステル樹脂と酸素吸収性樹脂とを５層構造に射出成形することで得られる有底の管状の５層プリフォームを加熱昇温した後、延伸ブロー成形することで成形されて、例えば飲料用のボトルとされるものである。
【００２６】
この多層プラスチック容器１０では、５層構造の底部２４の酸素吸収性樹脂層で構成される２つの中間層１４，１５のうち、内層１１と中央層１２の間の内側の中間層１４が多層プラスチック容器１０の内側表面１０ａに接近して配置され、中央層１２と外層１３との間の外側の中間層１５が多層プラスチック容器１０の外側表面１０ｂに接近して配置してあり、相対的に中央層１２部分が肉厚になっている。
【００２７】
このような中間層１４，１５の配置によって、内側の酸素吸収性樹脂層で構成される中間層１４によって内側表面１０ａおよび薄い内層１１を介して容器１０内部の残存酸素や内容物からの酸素を捕捉吸収するようにし、外側の酸素吸収性樹脂層で構成される中間層１５によって容器１０外部から外側表面１０ｂおよび薄い外層１３を介して透過する酸素を捕捉吸収するようにする。
【００２８】
これにより、この多層プラスチック容器１０では、外部からの酸素の侵入を主として外側の中間層１５で阻止できるので、内側の中間層１４が外部から侵入する酸素の影響を受けずに主として内部の残存酸素や内容物からの酸素を捕捉吸収することができ、これまでの酸素吸収性樹脂層に比べ、一層効率的に内容物の変質やフレーバー低下を防止することができる。
【００２９】
次に、このような多層プラスチック容器１０の製造に用いる５層構造の管状のプリフォーム３０は、３台の射出シリンダを備えた射出成形機が用いられ、内外層１１，１３用の射出シリンダと、中間層１４，１５用の射出シリンダと、中央層１２用の射出シリンダとによってホットランナー金型を介してプリフォーム金型４５に順次樹脂を射出することで成形する。
【００３０】
このプリフオーム３０の射出成形は、例えば図３（ｂ）に示すように、タイムチャートに従って各射出シリンダからそれぞれの樹脂が射出され、まず第１行程▲１▼として内外層１１，１３用の射出シリンダから内外層１１，１３用の熱可塑性ポリエステル樹脂ＰＥＴ１を所定量プリフォーム金型４５に射出する。
【００３１】
すると、プリフォーム金型４５の途中まで内外層１１，１３用の熱可塑性ポリエステル樹脂ＰＥＴ１が射出充填された状態となる。
【００３２】
この後、第２行程▲２▼として中間層１４，１５用の射出シリンダから中間層１４，１５用の酸素吸収性樹脂バリヤーを所定量プリフォーム金型４５に射出する。
【００３３】
すると、既に充填されている内外層１１，１３用の熱可塑性ポリエステル樹脂ＰＥＴ１の後方から中間層１４，１５用の酸素吸収性樹脂バリヤーが射出充填されることで内外層１１，１３用の熱可塑性ポリエステル樹脂ＰＥＴ１の間に中間層１４，１５用の酸素吸収性樹脂バリヤーが入り込んだ３層状態となる。
【００３４】
次に、第３，４行程▲３▼，▲４▼として中央層１２用の射出シリンダから中央層１２用の熱可塑性ポリエステル樹脂ＰＥＴ２をプリフォーム金型４５に射出する。
【００３５】
すると、既に充填されている内外層１１，１３用の熱可塑性ポリエステル樹脂ＰＥＴ１の間に中間層１４，１５用の酸素吸収性樹脂バリヤーが入り込んだ３層状態となる後方から中央層１２用の熱可塑性ポリエステル樹脂ＰＥＴ２を充填することで、中間層１４，１５用の酸素吸収性樹脂バリヤーの間に中央層１２用の熱可塑性ポリエステル樹脂ＰＥＴ２が入り込んで５層状態となってプリフォーム金型４５に所定の樹脂が充填された状態となる。
【００３６】
この後、第５行程▲５▼として保圧・冷却が行われて５層構造のプリフォーム３０が完成する。
【００３７】
このようにして射出成形したプリフォーム３０では、多層プラスチック容器１０の底部２４となるプリフォーム底部３１は、ホットランナー金型から順次高温の樹脂が充填されるとともに、プリフォーム金型４５では周囲からの冷却によりプリフォーム金型４５と接する部分から冷却硬化が起こることから、第２〜第４行程▲２▼〜▲４▼で射出された中間層１４，１５用の酸素吸収性樹脂バリヤーはプリフォーム胴部３２等プリフォーム３０の他の部分に比べて温度が高くなって外側に位置することになる。
【００３８】
これによって、プリフォーム３０の底部３１の中間層１４，１５はプリフォーム３０の内側表面３０ａまたは外側表面３０ｂに接近して配置された状態にすることができる。
【００３９】
したがって、このプリフォーム３０を通常の２軸延伸ブロー成形することで、既に説明した多層プラスチック容器１０のように、底部２４の内側の中間層１４を内側表面１０ａに接近させ、外側の中間層１５を外側表面１０ｂに接近させて成形することができる。
【００４０】
また、このプリフォーム３０では、多層プラスチック容器１０の肩部２２となる部分３３では、図３（ａ）の第３，第４行程▲３▼，▲４▼に示すように、先に充填された内外層１１，１３となる熱可塑性ポリエステル樹脂ＰＥＴ１がプリフォーム金型４５の先端まで押されて硬化が始まると、その後方から充填される中間層１４，１５用の酸素吸収性樹脂バリヤーも多層プラスチック容器１０の口部２１となる部分に至った後硬化し始め、次第に硬化が進行しながらその厚さが増大することになり、プリフォーム胴部３２等プリフォーム３０の他の部分に比べてこの肩部３３の中間層１４，１５用の酸素吸収性樹脂バリヤーが厚くなる。
【００４１】
これによって、プリフォーム３０の肩部３３の中間層１４，１５はプリフォーム胴部３２等プリフォーム３０の他の部分に比べて酸素吸収性樹脂バリヤーを厚くすることができる。
【００４２】
したがって、このプリフォーム３０を通常の２軸延伸ブロー成形することで、既に説明した多層プラスチック容器１０のように肩部２２の全体の肉厚が薄く延伸されても中間層１４，１５の肉厚を胴部２３の中間層１４，１５の肉厚とほぼ同一に保持した状態で成形することができる。
【００４３】
このような多層プラスチック容器１０の内外層１１，１３および中央層１２の３層の熱可塑性ポリエステル樹脂には、例えば同一の樹脂が用いられ、具体的な樹脂として、例えばポリエチレンテレフタレート（ＰＥＴ）が好適に使用されるがポリエチレンテレフタレートの本質を損なわない限り、エチレンテレフタレート単位を主体とし、他のポリエステル単位を含むコポリエステルをも使用することができる。
【００４４】
なお、この熱可塑性ポリエステル樹脂に紫外線吸収剤や帯電防止剤などの添加剤を混合しても良い。
【００４５】
また、中間層１４，１５の酸素吸収性樹脂としては、酸素バリヤー性樹脂と酸化性重合体と遷移金属触媒との混合した組成物が用いられ、例えばＭＸＤナイロン、無水マレイン酸変性ポリブタジエン、ネオデカン酸コバルトの３成分とされ、その組成比が重量比率で、９６．７４　：３．０　：０．２６とされる。
【００４６】
このような中間層１４，１５では、ＭＸＤナイロン（メタキシリレン基含有ポリアミド）が酸素バリヤーの役割を担い、主としてプラスチック容器外部からの酸素侵入を防止する。
【００４７】
また、無水マレイン酸変性ポリブタジエンは酸素吸収剤であり、ポリブタジエンの炭素・炭素の二重結合を使って、プラスチック容器の内層１１を浸透してくる容器内酸素を吸収する。
【００４８】
さらに、ネオデカン酸コバルトは、無水マレイン酸変性ポリブタジエンのポリブタジエンの炭素・炭素の二重結合によって酸素を吸収する際の触媒の役割を担っている。
【００４９】
なお、酸素吸収性樹脂としては、上記のもののほか次のようなものを用いることもできる。
【００５０】
まず、酸素バリヤー性樹脂としては、既に知られている酸素バリヤー性樹脂のいずれも用いることができ、例えばエチレンービニルアルコール共重合体、ポリアミド、ポリ塩化ビニリデン系樹脂、ポリビニルアルコール、フッ素樹脂等があげられるが、焼却時に有害ガスを発生する恐れのない塩素を含まない樹脂が好ましいが、特に成形性の点からポリアミドが好ましい。。
【００５１】
なお、ポリアミド樹脂を用いる場合には、末端アミノ基濃度が４０ｅｑ／１０６　ｇ以上、好ましくは５０ｅｑ／１０６　ｇを越えるポリアミド樹脂であることが、ポリアミド樹脂自体の酸化劣化を防止する上で好ましい。さらには、末端アミノ基濃度が上記範囲のメタキシリレン基含有ポリアミドが特に好ましい。
【００５２】
次に、酸化性重合体としては、酸化性の有機材料、例えばポリブタジエン、ポリイソプレン、ポリプロピレン、エチレン−一酸化炭素共重合体、６−ナイロン、１２−ナイロン、メタキシリレンジアミン（ＭＸ）ナイロンのようなポリアミド類などに、酸化触媒としてコバルト、ロジウム、銅等の遷移金属を含む有機酸塩類やベンゾフェノン、アセトフェノン、クロロケトン類のような光増感剤を加えたものが使用される。なお、これらに紫外線、電子線のような高エネルギー線を照射することによって、一層酸素吸収性を増大できる。
【００５３】
遷移金属系触媒としては、遷移金属の有機酸塩あるいは有機鎖塩や、ラジカル開始剤あるいは光増感剤が好適に使用されるが、金属成分のうちでもコバルト成分が酸素吸収速度が大きく、特に適したものである。
【００５４】
このようにして射出成形される多層プリフォーム３０では、その成形行程▲１▼〜▲５▼から明らかなように、第２行程▲２▼で酸素吸収性樹脂バリヤーが射出されると、その後の行程▲３▼〜▲５▼によってプリフォーム金型４５内に充填されることになり、酸素吸収性樹脂層がプリフォーム３０の途中まで形成された不完全な状態となることはなく、第２行程▲２▼で酸素吸収性樹脂バリヤーが全く充填されずプリフォーム３０内に存在しない状態が生じ、この場合が不良プリフォームとなる。
【００５５】
そこで、多層プリフォームの検査としては、酸素吸収性樹脂の中間層１４，１５の存否を検出できれば良く、しかも多層プリフォームでは、これら酸素吸収性樹脂の中間層１４，１５が白濁していることから、この白濁を利用し、多層プラスチック容器１０の口部２１と肩部２２との境界に相当する部分で検出する。特にレーザーを照射する位置はネックリング２１ａの直下が好ましい。
【００５６】
この多層プリフォームの検査装置１は、図１に検出原理を示すように、レーザー照射手段としてのレーザー発信器２と、発信されたレーザー光が多層プリフォーム３０を透過して変化する光量を検出する光量検出手段とレーザーセンサ３とを備えてレーザー照射検出器４が構成されている。
【００５７】
そして、この多層プリフォームの検査装置１では、レーザー光の光量の変化を確実に検出するため、レーザー照射検出器４と多層プリフォーム３０を挾んで対向して反射鏡５が設けてあり、多層プリフォームを透過したレーザー光を反射鏡５で反射させて多層プリフォーム３０を再透過させ、多層プリフォーム３０を２回透過した反射レーザー光をレーザー照射検出器４で検出するようにし、光量の変化が大きくなるようにしている。
【００５８】
この多層プリフォームの検査装置１によれば、レーザー照射検出器４のレーザー発信器２から多層プリフォーム３０のネックリング２１ａの直下（多層プラスチック容器１０の口部と肩部の境界となる部分に相当する）に向けてレーザー光を照射し、対向する反射鏡５で反射してくるレーザー光をレーザーセンサ３で検出し、その光量の変化から酸素吸収性樹脂層の存否を検出することができる。
【００５９】
このような多層プリフォームの検査は、例えば図２に示すように、多層プリフォームの異物検査と合わせて行われ、前工程からの多層プリフォーム３０を１本ずつ分離して払い出す払出用ターレット６上の多層プリフォーム３０を検査ターレット７の真空吸着部８で吸着し、回転する検査ターレット７の搬送経路の１か所に多層プリフォームの検査装置１を設けておき、多層プリフォーム３０の酸素吸収性樹脂からなる中間層の存否を検査する。
【００６０】
そして、検査に合格した多層プリフォーム３０は次工程に送られる一方、酸素吸収性樹脂層が形成されていないプリフォームは、排出シュート上で真空吸着が解かれ、系外に排出される。
【００６１】
なお、多層プリフォーム３０の異物検出は、図示省略したが、検査ターレット７で搬送される間に外周側の光源から多層プリフォームに光を当て、回転中心部のテレビカメラの影像から異物の混入を検出する。
【００６２】
このような多層プリフォーム３０の異物検出装置に多層プリフォームの検査装置１を付設することで、異物検出行程中に酸素吸収性樹脂からなる中間層の存否を検査することができ、装置の配列の変更なども必要がない。
【００６３】
なお、上記実施の形態では、多層プリフォームとして２種５層構造の中間層を検出する場合で説明したが、これに限らず、少なくとも１層の酸素吸収性樹脂の中間層を備える多層プリフォームに適用することができる。
【００６４】
また、酸素吸収性樹脂の厚さや組成などによって白濁する程度が高くなる場合には、反射鏡を設けることなく１回透過するレーザー光の光量の変化から検出するようにしても良い。
【００６５】
【発明の効果】
以上、一実施の形態とともに具体的に説明したようにこの発明の請求項１記載の多層プリフォームの検査方法によれば、多層プリフォームにレーザービームを照射して透過する光量の変化から中間層の存否を検出するようにしたので、レーザービームの光量が白濁した中間層によって変化することから存否を検出することができる。
【００６６】
また、この発明の請求項２記載の多層プリフォームの検査方法によれば、多層プリフォームを透過した後反射鏡から反射して再透過した反射光で光量の変化を検出するようにしたので、多層プリフォームを２回透過させることで光量の変化を大きくし、一層確実に検出することができる。
【００６７】
さらに、この発明の請求項３記載の多層プリフォームの検査装置によれば、多層プリフォームと対向して設けられるレーザー照射手段と、このレーザー照射手段から照射して透過する光量の変化から中間層の存否を検出する光量検出手段とを備えているので、レーザー照射手段から照射したレーザービームの光量が白濁した中間層によって変化することを光量検出手段で検出して中間層の存否を検出することができる。
【００６８】
また、この発明の請求項４記載の多層プリフォームの検査装置によれば、レーザー照射手段と多層プリフォームを挾んで対向する反射鏡を設け、前記多層プリフォームを透過した後反射鏡から反射して再透過した反射光を検出可能に前記光量検出手段を設けたので、反射鏡で反射させて多層プリフォームを２回レーザービームを透過させることで光量の変化を大きくし、一層確実に検出することができる。
【００６９】
さらに、この発明の請求項５記載の多層プリフォームの検査装置によれば、検査装置を多層プリフォームの異物検出装置に付設し、この異物検出装置で搬送される前記多層プリフォームを検査対象としたので、これまでの多層プリフォームの検査ラインを変更することなく簡単に設置でき、しかも異物検出しながら確実に中間層を検出することができる。
【図面の簡単な説明】
【図１】この発明の多層プリフォームの検査方法およびその装置の一実施の形態にかかる検査原理を示す概略構成図である。
【図２】この発明の多層プリフォームの検査方法およびその装置の一実施の形態にかかる異物検出装置とともに示す概略斜視図である。
【図３】この発明の多層プリフォームの検査方法およびその装置の検査対象となる多層プリフォームの成形行程図および成形行程のタイムチャートである。
【図４】この発明の多層プリフォームの検査方法およびその装置の検査対象となる多層プリフォームから成形される多層プラスチック容器の縦断面図である。
【符号の説明】
１　多層プリフォームの検査装置
２　レーザー発信器
３　レーザーセンサ
４　レーザー照射検出器
５　反射鏡
７　検査ターレット
８　真空吸着部
１０　多層プラスチック容器
１０ａ　内側表面
１０ｂ　外側表面
１１　内層
１２　中央層
１３　外層
１４　中間層（内側）
１５　中間層（外側）
２１　口部
２１ａ　ネックリング
２２　肩部
２３　胴部
２４　底部
３０　プリフォーム
３０ａ　内側表面
３０ｂ　外側表面
３１　底部
３２　胴部
３３　肩部
４５　プリフォーム金型
ＰＥＴ１　内外層用の熱可塑性ポリエステル樹脂
ＰＥＴ２　中央層用の熱可塑性ポリエステル樹脂
バリヤー　中間層用の酸素吸収性樹脂
【図１】
2004117028.tif 000003
【図２】
2004117028.tif 000004
【図３】
2004117028.tif 000005
【図４】
2004117028.tif 000006